(57)【特許請求の範囲】
【請求項１】
ケース内にロータを回動可能に収容し、前記ロータに収容室を設けると共に、前記収容室にディスクタンブラを直線移動可能に収容し、前記ケース内に挿入されたキーと前記ディスクタンブラとの係合によって前記ディスクタンブラの直線移動位置を規定し、前記ロータを回動可能な位置と、前記ロータを回動不能な位置とに前記ディスクタンブラを配置可能にし、前記ディスクタンブラを移動する方向に付勢するばねを備えたシリンダ錠において、
前記ディスクタンブラの外周縁に一対の被ガイド部を設け、一対の前記被ガイド部を摺接させて前記ディスクタンブラの直線移動を案内するための一対の平行な直線状のガイド部を前記収容室に設け、前記一対の直線状のガイド部と、前記一対の直線状のガイド部から等距離の中心線とに関して、前記ばねの配置位置を前記中心線側に近づけ、前記一対の直線状のガイド部のガイド方向に前記ばねの付勢方向を略一致させ、前記ディスクタンブラの外周縁の外側であって、且つ前記ディスクタンブラの奥に前記ばねを配置したシリンダ錠。
【請求項２】
前記ディスクタンブラと前記ばねとは、それぞれ同数ずつの複数あり、前記複数のばねは、前記キーの挿入方向に見て異なる少なくとも２箇所の位置に分けて配置されている請求項１に記載のシリンダ錠。
【発明の詳細な説明】
【０００１】
【発明の属する技術分野】
本発明は、ケース内にロータを回動可能に収容し、前記ロータに収容室を設けると共に、前記収容室にディスクタンブラを直線移動可能に収容し、前記ケース内に挿入されたキーと前記ディスクタンブラとの係合によって前記ディスクタンブラの直線移動位置を規定し、前記ロータを回動可能な位置と、前記ロータを回動不能な位置とに前記ディスクタンブラを配置可能にし、前記ディスクタンブラを移動する方向に付勢するばねを備えたシリンダ錠に関するものである。
【０００２】
【従来の技術】
この種のシリンダ錠が実公平７−１４０４１公報に開示されている。この従来のシリンダ錠においては、ディスクタンブラに形成された錠止端部が錠本体に形成された溝部に嵌合した状態では、内筒の回動が阻止される。ディスクタンブラは、鍵孔に挿入されたキーに押されてばねの付勢力に抗してスライドし、錠止端部が溝部から離脱して内筒が回動可能となる。内筒は、キーを回動するという解錠操作によって回動される。ディスクタンブラは、その左右の中心位置でばねの付勢力を受け、ディスクタンブラの動きは円滑である。
【０００３】
【発明が解決しようとする課題】
ディスクタンブラの左右の中心位置でディスクタンブラを付勢するばねは、環状のディスクタンブラの内周縁の内側に配置されている。ディスクタンブラの内周縁の内側は、キーの挿通部である。そのため、ディスクタンブラの内周縁の内側にばねの配置スペースを確保しようとすると、環状のディスクタンブラの内形を大きくする必要があり、ディスクタンブラの外形も大きくなる。ディスクタンブラの外形が大きくなると、シリンダ錠の体格が大きくなる。
【０００４】
本発明は、ディスクタンブラの円滑な動きを確保しつつシリンダ錠のコンパクト化を図ることを目的とする。
【０００５】
【課題を解決するための手段】
そのために本発明は、ケース内にロータを回動可能に収容し、前記ロータに収容室を設けると共に、前記収容室にディスクタンブラを直線移動可能に収容し、前記ケース内に挿入されたキーと前記ディスクタンブラとの係合によって前記ディスクタンブラの直線移動位置を規定し、前記ロータを回動可能な位置と、前記ロータを回動不能な位置とに前記ディスクタンブラを配置可能にし、前記ディスクタンブラを移動する方向に付勢するばねを備えたシリンダ錠を対象とし、請求項１の発明では、前記ディスクタンブラの外周縁に一対の被ガイド部を設け、一対の前記被ガイド部を摺接させて前記ディスクタンブラの直線移動を案内するための一対の平行な直線状のガイド部を前記収容室に設け、前記一対の直線状のガイド部と、前記一対の直線状のガイド部から等距離の中心線とに関して、前記ばねの配置位置を前記中心線側に近づけ、前記一対の直線状のガイド部のガイド方向に前記ばねの付勢方向を略一致させ、前記ディスクタンブラの外周縁の外側であって、且つ前記ディスクタンブラの奥に前記ばねを配置した。
【０００６】
ディスクタンブラの外周縁の外側にばねを配置した構成は、ディスクタンブラの外形のコンパクト化をもたらす。直線状ガイド部のガイド方向にばねの付勢方向を一致させた構成は、ディスクタンブラの動きの円滑化に有利である。
【０００７】
請求項２の発明では、請求項１において、前記ディスクタンブラと前記ばねとは、それぞれ同数ずつの複数とし、前記複数のばねは、前記キーの挿入方向に見て異なる少なくとも２箇所の位置に分けて配置されているようにした。
【０００８】
このような配置は、シリンダ錠のコンパクト化に寄与すると共に、不正解錠の防止に有効である。
【０００９】
【発明の実施の形態】
以下、本発明を具体化した第１の実施の形態を図１〜図６に従って説明する。図６は、シリンダ錠の分解斜視図を示す。
【００１０】
図１（ａ）に示すように、筒状のケース１１には雄ねじ部１２が形成されており、雄ねじ部１２にはナット１３が螺着されている。ナット１３は、シリンダ錠を取り付け対象に取り付け固定するためのものである。
【００１１】
ケース１１内にはロータ１４が回動可能に嵌入されている。ロータ１４の後端部１４１は、ケース１１の後端から突出しており、後端部１４１には回動量規制カム１５及び作用板１６が相対回動不能に嵌合されている。後端部１４１には雄ねじ部１４２が形成されている。雄ねじ部１４２にはワッシャ１７が嵌合されていると共に、ナット１８が螺着されている。回動量規制カム１５、作用板１６及びワッシャ１７は、ナット１８の締め付けによってロータ１４に固定されている。回動量規制カム１５は、ケース１１に係合してロータ１４の回動量を規制する。作用板１６は、シリンダ錠以外の固定部に係合して施錠作用をもたらしたり、電気スイッチをＯＮ−ＯＦＦしたりするものである。
【００１２】
ロータ１４の先端にはキャップ１９が嵌合して固定されている。キャップ１９には鍵孔１９１が形成されている。キー２０は、鍵孔１９１を通してケース１１内に挿入される。
【００１３】
ロータ１４には複数の収容室２１，２２，２３，２４が形成されており、各収容室２１〜２４には環状のディスクタンブラ２５，２６，２７，２８が収容されている。
【００１４】
図１（ｂ）、図２、図３及び図４に示すように、環状のディスクタンブラ２５〜２８の外周縁には一対の直線状の被ガイド部２９，３０が形成されている。収容室２１〜２４の形成壁面には一対の直線状のガイド部３１，３２が形成されている。一対の被ガイド部２９，３０は、平行な関係にあり、一対のガイド部３１，３２は、平行な関係にある。被ガイド部２９はガイド部３１に対して摺接し、被ガイド部３０はガイド部３２に対して摺接する。ディスクタンブラ２５〜２８は、被ガイド部２９，３０とガイド部３１，３２との摺接を介して直線移動する。
【００１５】
ディスクタンブラ２５〜２８の外周縁には、ばね受け部３３が形成されている。ロータ１４にはばね座３４，３５，３６，３７が形成されており、ばね座３４〜３７とばね受け部３３との間にはコイルばね型のばね３８，３９，４０，４１が介在されている。ばね３８〜４１は、ディスクタンブラ２５〜２８の外周縁の外側に配置してある。又、ばね３８〜４１の配置位置は、一対の直線状のガイド部３１，３２と、一対の直線状のガイド部３１，３２から等距離の中心線Ｌとに関して、中心線Ｌに近づけてある。ばね３８〜４１は、ケース１１内に挿入された状態にあるキー２０の板厚の範囲〔図１（ｂ）にＴで示す〕をキー２０の幅Ｗ〔図１（ｂ）に図示〕の方向に延長した領域Ｈ〔図１（ｂ）に図示〕から外れた位置に配置してある。ばね３８〜４１は、キー２０の幅Ｗの方向に対して直角になるようにしてあり、ばね３８〜４１の付勢方向は、直線状のガイド部３１，３２のガイド方向に一致させてある。
【００１６】
ディスクタンブラ２５〜２８の外周縁には係合突起２５２，２６２，２７２，２８２が形成されている。ケース１１の内周面には一対のロック溝１１１，１１２が形成されている。ディスクタンブラ２５，２７の係合突起２５２，２７２は、ロック溝１１１に出入り可能であり、ディスクタンブラ２６，２８の係合突起２６２，２８２は、ロック溝１１２に出入り可能である。
【００１７】
ディスクタンブラ２５〜２８の内周縁におけるばね受け部３３の近傍には解錠突起２５１，２６１，２７１，２８１が形成されている。解錠突起２５１〜２８１は、挿入されたディンプルキー型のキー２０の解錠孔２０１，２０２，２０３，２０４に嵌まり込む。解錠突起２５１〜２８１の高さは、僅かずつ異ならせてある。これに合わせて解錠孔２０１〜２０４の深さが僅かずつ異ならせてある。挿入されるキー２０Ａ（図５に図示）が正しいキーでない場合、例えば図５に示すように、ディスクタンブラ２５が図１（ｂ）に示す位置から移動し、係合突起２５２がロック溝１１１に入り込む。これによりロータ１４が回動不能となり、正しくないキーによる解錠が阻止される。ディスクタンブラ２５〜２８は、正しいキー２０の挿入によってロータ１４を回動可能な直線移動位置に配置され、正しくないキーの挿入によってロータ１４を回動不能な直線移動位置に配置される。
【００１８】
第１の実施の形態では以下の効果が得られる。
（１−１）ディスクタンブラ２５〜２８の内周縁の内側にばね３８〜４１の配置位置を設定する構成は、ディスクタンブラ２５〜２８の外形を大きくしてしまう。ディスクタンブラ２５〜２８の外周縁の外側にばね３８〜４１の配置位置を設定した構成は、このような問題をもたらさない。従って、ディスクタンブラ２５〜２８の外周縁の外側にばね３８〜４１を配置した構成は、ディスクタンブラ２５〜２８の外形のコンパクト化をもたらし、シリンダ錠がコンパクトになる。
【００１９】
（１−２）ディスクタンブラ２５〜２８に対するばね３８〜４１の配置位置が中心線Ｌから離れるほど、ディスクタンブラ２５〜２８の移動の円滑性が阻害される。又、ばね３８〜４１の付勢方向が中心線Ｌに対して傾くほど、ディスクタンブラ２５〜２８の移動の円滑性が阻害される。直線状のガイド部３１，３２のガイド方向にばねの付勢方向を一致させ、かつ中心線Ｌ側にばね３８〜４１の配置位置を近づけた構成は、ディスクタンブラ２５〜２８の動きの円滑化に有利である。
【００２０】
（１−３）ディスクタンブラ２５〜２８を付勢するばね３８〜４１は、キー２０の幅Ｗの方向に対して直角になるように配置されている。一般的に、キーの板厚Ｔは、キーの幅Ｗよりも小さく、ケース１１内ではキーにおける解錠孔２０１〜２０４を形成する面側にばね配置用のスペースを確保し易い。このようなばね配置用のスペース内でキー２０の幅Ｗの方向に対してばね３８〜４１を直角になるように配置する構成は、ばね配置用のスペースの確保に有利な上、ディスクタンブラ２５〜２８の動きの円滑化に有利である。
【００２１】
（１−４）一般的に、ばね３８〜４１のコイル径は、ディスクタンブラ２５〜２８の厚みよりも大きく、複数のコイルばねを同列に配列（即ち、並列に配列）すると、複数のコイルばね配置用のスペースがキー２０の挿入方向に長くなってしまう。本実施の形態では、複数のばね３８〜４１（本実施の形態では４つ）は、キー２０の挿入方向に見て異なる２箇所の位置に分けて配置されている。従って、全てのばね３８〜４１が同列に配列されることはなく、キー２０の挿入方向における複数のコイルばね配置用のスペースの長さの短縮化が可能である。これは、シリンダ錠のコンパクト化に寄与する。
【００２２】
（１−５）ばね３８〜４１とディスクタンブラ２５〜２８とは、それぞれ同数ずつの複数あり、複数のばね３８〜４１は、キー２０の挿入方向に見て異なる２箇所の位置に分けて配置されている。略同形同大のディスクタンブラ２５〜２８の解錠突起２５１〜２８１は、ばね３８〜４１に対するばね受け部３３の近傍にある。そして、これらの解錠突起２５１〜２８１は、図１（ｂ）、図２〜図４に示すように、鍵孔１９１から見てケース１１内に挿入されたキー２０の存在領域に突き出している。キー２０の存在領域に複数の解錠突起２５１〜２８１を突き出した構成は、不正解錠の防止に有効である。従って、ディスクタンブラ２５〜２８を付勢する複数のばね３８〜４１をキー２０の挿入方向に見て異なる位置に配置した構成は、不正解錠の防止に有効である。
【００２３】
次に、図７〜図１１の第２の実施の形態を説明する。第１の実施の形態と同じ構成部には同じ符号が用いてある。図８は、図７のＥ−Ｅ線断面図、図９は、図７のＦ−Ｆ線断面図である。図１１は、シリンダ錠の分解斜視図である。
【００２４】
ロータ１４Ａの下部にはバー挿入孔４２が形成されており、ケース１１の内周面の下部にはロック溝１１３が形成されている。バー挿入孔４２にはサイドバー４３が挿入されている。サイドバー４３は、一対のばね４４，４５のばね力によってロータ１４Ａに向けて付勢されている。
【００２５】
ディスクタンブラ４６，４７，４８，４９の外周縁にはばね受け部５０が形成されている。ロータ１４Ａにはばね座５１が止着されており、ばね座５１とばね受け部５０との間にはコイルばね型のばね５９，６０が介在されている。ばね５９，６０は、図８に示す位置と図９に示す位置とに分けて配置されている。ディスクタンブラ４６〜４９の内周縁におけるばね受け部５０の近傍には解錠突起５２が形成されている。各ディスクタンブラ４６〜４９の解錠突起５２は、挿入されたディンプルキー型のキー５３の解錠孔５４に嵌まり込み可能である。
【００２６】
ディスクタンブラ４６〜４９には一対の直線状の被ガイド部５５，５６が互いに平行に形成されている。被ガイド部５５，５６は、ロータ１４Ａに形成された直線状のガイド部３１，３２に摺接する。被ガイド部５５，５６上には係合溝５７，５８が形成されている。サイドバー４３は、係合溝５８に係合可能である。挿入されるキー５３Ａ（図１０に図示）が正しいキーでない場合、例えば図１０に示すように、ディスクタンブラ４６が図８に示す位置から移動し、サイドバー４３が係合溝５８から押し出されてケース１１内面のロック溝１１３に入り込む。これによりロータ１４Ａが回動不能となり、正しくないキーによる解錠が阻止される。ディスクタンブラ４６〜４９は、正しいキー５３の挿入によってロータ１４Ａを回動可能な位置に配置され、正しくないキーの挿入によってロータ１４Ａを回動不能な位置に配置される。
【００２７】
サイドバー４３を用いた本実施の形態においても、第１の実施の形態と同じ効果が得られる。
本発明では以下のような実施の形態も可能である。
【００２８】
（１）第１の実施の形態において、ディスクタンブラを付勢する複数のばねを異なる４箇所の位置に分けて配置すること。
前記した実施の形態から把握できる請求項記載以外の発明について以下に記載する。
【００２９】
〔１〕請求項１及び請求項２において、前記被ガイド部は直線形状であるシリンダ錠。
〔２〕請求項１、請求項２及び前記〔１〕項のいずれか１項において、前記ケース内に挿入された状態にある前記キーの板厚の範囲を前記キーの幅方向に延長した領域から外れた位置に前記ばねを配置し、前記キーの幅方向に対して直角になるように前記ばねの付勢方向を設定したシリンダ錠。
【００３０】
〔３〕請求項１、請求項２、前記〔１〕項及び〔２〕項のいずれか１項において、前記キーは、その板厚の方向に凹設された解錠孔を備えたディンプルキーであり、前記解錠孔を介した前記ディスクタンブラとディンプルキーとの係合は、前記ディスクタンブラの直線移動位置を規定するシリンダ錠。
【００３１】
【発明の効果】
以上詳述したように本発明では、ディスクタンブラの外周縁に一対の被ガイド部を設け、一対の前記被ガイド部を摺接させて前記ディスクタンブラの直線移動を案内するための一対の平行な直線状ガイド部を収容室に設け、前記一対の直線状ガイド部と、前記一対の直線状ガイド部から等距離の中心線とに関して、ばねの配置位置を前記中心線側に近づけ、前記一対の直線状ガイド部のガイド方向に前記ばねの付勢方向を略一致させ、前記ディスクタンブラの外周縁の外側であって、且つ前記ディスクタンブラの奥に前記ばねを配置したので、ディスクタンブラの円滑な動きを確保しつつシリンダ錠のコンパクト化を図ることができるという優れた効果を奏する。
【図面の簡単な説明】
【図１】第１の実施の形態を示し，（ａ）は、側断面図。（ｂ）は、（ａ）のＡ−Ａ線断面図。
【図２】図１（ａ）のＢ−Ｂ線断面図。
【図３】図１（ａ）のＣ−Ｃ線断面図。
【図４】図１（ａ）のＤ−Ｄ線断面図。
【図５】解錠不能状態を示す断面図。
【図６】分解斜視図。
【図７】第２の実施の形態を示す側断面図。
【図８】図７のＥ−Ｅ線断面図。
【図９】図７のＦ−Ｆ線断面図。
【図１０】解錠不能状態を示す断面図。
【図１１】分解斜視図。
【符号の説明】
１１…ケース。１４，１４Ａ…ロータ。２０，５３…キー。２１，２２，２３，２４…収容室。２５，２６，２７，２８，４６，４７，４８，４９…ディスクタンブラ。２９，３０，５５，５６…被ガイド部。３１，３２…ガイド部。３８，３９，４０，４１，５９，６０…ばね。
【図１】
0004018394.tif 000002
【図２】
0004018394.tif 000003
【図３】
0004018394.tif 000004
【図４】
0004018394.tif 000005
【図５】
0004018394.tif 000006
【図６】
0004018394.tif 000007
【図７】
0004018394.tif 000008
【図８】
0004018394.tif 000009
【図９】
0004018394.tif 000010
【図１０】
0004018394.tif 000011
【図１１】
0004018394.tif 000012